(57)【特許請求の範囲】
【請求項１】
バット部が中空状であるブランクの後端部の外側にフェルールが装着された竿本体と、該竿本体の後側に着脱自在に連結され、竿本体のフェルールが内側に挿入される筒状のリールシートを備えたグリップ体とを備えた釣竿において、
ブランクのバット部の内側に所定長さの芯材が挿入されており、該芯材がフェルールの前端よりも前側に１００ｍｍ以内の突出長さで突出している、又は、芯材の前端の位置がフェルールの前端の位置と略一致していることを特徴とする釣竿。
【請求項２】
芯材の後端がブランクの後端と略面一である請求項１記載の釣竿。
【請求項３】
ブランクのバット部には、周方向の強化繊維を有する補強層が所定長さ範囲のみに局所的に形成され、該補強層の形成範囲に芯材が収まっている請求項１又は２記載の釣竿。
【請求項４】
芯材が中実状の繊維強化樹脂製である請求項１乃至３の何れかに記載の釣竿。
【請求項５】
芯材の強化繊維がガラス繊維である請求項４記載の釣竿。
【発明の詳細な説明】
【技術分野】
【０００１】
本発明は、釣竿の改良に関する。
【背景技術】
【０００２】
リールを使用する釣竿において筒状のリールシートが用いられる場合があり、特に大物釣りの釣竿では金属製のリールシートが装着される。例えば、筒状のリールシートを備えたグリップ体に竿本体を着脱自在とする構成では、ブランクのバット部がフェルールに挿入固定され、そのフェルールをリールシートに挿入固定する。
【０００３】
ところで、釣竿においてバット部まで大きく曲がる特性が重視されることがある。特に大物釣り用の釣竿においてはバット部まで大きく曲がる特性が重視され、その釣竿の曲がりによって大物の引きに対応する。そのような釣竿においては、通常、中実状（ソリッド）のブランクとされる。しかしながら、ブランクをソリッドの構成にすると、曲がり特性は優れているものの重いというデメリットがある。そこで、軽量化を図るべく本発明者が中空状のブランクを製作して曲げテストを行ったところ、フェルールの前端近傍においてブランクが通常とは異なる状態で折れ破損することが判明した。通常、このような曲げテストを行うと、ブランクに使用されている竿の軸線方向に引き揃えられたカーボン繊維等の強化繊維が、曲がり形状の外側において引っ張り応力に耐えきれずに破断する結果、ブランクが折れるという現象が生じる。ところが、上記曲げテストでは、フェルールの前端近傍においてブランクが径方向内側に押し潰れるように破損したのである。これは即ち、竿の軸線方向に引き揃えられた強化繊維が引っ張り応力の限界に達した結果ブランクが折れたということではなく、それ以外の何らかの要因によって折れたことを意味する。
【先行技術文献】
【特許文献】
【０００４】
【特許文献１】特開２０１２−１０６２７号公報
【特許文献２】実開昭６２−１３０４７４号公報
【特許文献３】実開昭６３−８９７７６号公報
【発明の概要】
【発明が解決しようとする課題】
【０００５】
それゆえに本発明は上記従来の問題点に鑑みてなされ、バット部まで大きく曲がる特性を有する釣竿においてフェルールの前端近傍におけるブランクの潰れ折れ現象を防止することを課題とする。
【課題を解決するための手段】
【０００６】
本発明は上記課題を解決すべくなされたものであって、本発明に係る釣竿は、バット部が中空状であるブランクの後端部の外側にフェルールが装着された竿本体と、該竿本体の後側に着脱自在に連結され、竿本体のフェルールが内側に挿入される筒状のリールシートを備えたグリップ体とを備えた釣竿において、ブランクのバット部の内側に所定長さの芯材が挿入されており、該芯材がフェルールの前端よりも前側に１００ｍｍ以内の突出長さで突出している、又は、芯材の前端の位置がフェルールの前端の位置と略一致していることを特徴とする。
【０００７】
該構成の釣竿にあっては、ブランクのバット部の内側に芯材が挿入されていて、その芯材がフェルールの前端よりも前側に１００ｍｍ以内の突出長さで突出しているか、あるいは、芯材の前端の位置がフェルールの前端の位置と略一致しているので、ブランクがバット部まで大きく曲がった際に、フェルールの前端近傍においてブランクのバット部が内側から芯材によって支えられることになる。また、芯材の前端はフェルールの前端よりも前側に１００ｍｍ以内であるので、ブランクの曲がりにも実質上影響が生じなくて済み、また、芯材の挿入による重量増加も抑制される。
【０００８】
特に芯材の後端がブランクの後端と略面一であることが好ましく、芯材をブランクの後端から挿入する際に、芯材を所定位置まで容易に挿入することができる。従って、芯材の位置バラツキが小さくなり、芯材の長さを過度に長くすることなく、フェルールの前端近傍に芯材を確実に位置させることができる。
【０００９】
また、ブランクのバット部には、周方向の強化繊維を有する補強層が所定長さ範囲のみに局所的に形成され、該補強層の形成範囲に芯材が収まっていることが好ましい。このように補強層をブランクの全長ではなく所定長さ範囲のみに局所的に形成することによってブランクの重量増加を抑制でき、また、補強層の形成範囲に芯材が収まるように挿入配置されていると、補強層と芯材の相乗効果によって、フェルールの前端近傍におけるブランクの潰れ破損をより一層確実に防止することができる。
【００１０】
また、芯材は中空状であってもよいが、中実状の繊維強化樹脂製であることが好ましい。芯材が中実状の繊維強化樹脂製であると、ブランクのバット部を内側から効果的に補強できる。
【００１１】
そして、その場合、芯材の強化繊維がガラス繊維であることが好ましい。ガラス繊維はカーボン繊維に比して粘りがあるので、ブランクのバット部の曲がりにもスムーズに追従できる。従って、特に、フェルールの前端から芯材が所定長さ前側に突出している構成において効果的である。
【発明の効果】
【００１３】
以上のように、ブランクのバット部の内側に所定長さの芯材を所定位置に配置したことにより、重量増加を抑制して、大部分が中空で軽量であるというメリットを保持しつつ、フェルールの前端近傍におけるブランクの潰れ折れを防止することができる。
【図面の簡単な説明】
【００１４】
【図１】本発明の一実施形態における釣竿の要部を示す一部破断線を含む断面図。
【図２】同実施形態における釣竿の竿本体の要部断面図。
【発明を実施するための形態】
【００１５】
以下、本発明の一実施形態に係る釣竿について図面を参酌しつつ説明する。先ず、図１に本実施形態における釣竿の全体構成の要部を示している。釣竿は、竿本体１とグリップ体２とを備えていて、竿本体１がグリップ体２に対して着脱自在の構成となっている。
【００１６】
図２にグリップ体２から外した状態の竿本体１の要部を示している。竿本体１は、一本あるいは複数本のブランク１０を有する構成であり、特に、一本のブランク１０からなるワンピースロッドであることが好ましい。以下、ワンピースロッドを例にして説明する。即ち、竿本体１は、中空状のブランク１０と、該ブランク１０のバット部に接着固定されたフェルール１１と、竿本体１をグリップ体２に固定するための締結ナット１２とを備えている。尚、例えば、竿本体１が二本のブランク１０を有する構成では、竿元側のブランク１０が少なくとも中空状となる。
【００１７】
ブランク１０は、中空状の繊維強化樹脂製であって、プリプレグをマンドレルに巻回し、加熱焼成することによって中空状に形成されたものであり、プリプレグの強化繊維としてはカーボン繊維やガラス繊維等が使用でき、特にカーボン繊維とガラス繊維の双方を使用することが好ましい。また、ブランク１０の主層を構成するためのプリプレグ（メインパターン）には、強化繊維が竿の軸線方向に引き揃えられたプリプレグを用いることが好ましい。特に、粘りがあって大きく曲がる特性が得られやすいことから、その強化繊維は、ガラス繊維とすることが好ましく、その中でも特にＵＤグラスとすることが好ましい。尚、主層の外側と内側にはそれぞれカーボン繊維が使用されたテープ状のプリプレグを螺旋状に巻回して形成した外層と内層を設けることが好ましい。
【００１８】
また、ブランク１０の最内層を構成し、ブランク１０の全長のうち後端から所定長さの範囲のみに補強層１４が形成されていることが好ましい。該補強層１４の形成範囲を図２に符号Ｓで示している。補強層１４の全長は、少なくともフェルール１１の竿取付孔１５の全長よりも長く、また、後述する芯材１３よりも長くて、具体的には、１００〜３００ｍｍ程度とされる。補強層１４は、強化繊維が周方向に引き揃えられたプリプレグから形成されることが好ましい。尚、補強層１４は最内層に形成されることが好ましいが、例えば内層の外側に形成されてもよい。
【００１９】
更に、ブランク１０のバット部の内側には芯材１３が挿入固定されている。該芯材１３の外径はブランク１０の後端部の内径と略等しく、従って、ブランク１０の内側に芯材１３が実質上隙間を有することなく挿入されて接着剤により固定されている。芯材１３は、ブランク１０の全長（例えば１．５ｍ〜３ｍ）に比してかなり短いものであって、例えば５０ｍｍ〜２００ｍｍ程度の長さのものである。芯材１３はブランク１０の後端まで達しており、従って、芯材１３の後端はブランク１０の後端と略面一である。一方、芯材１３の前端１３ａの位置はフェルール１１の前端１１ａの位置よりも前側であって、従って、芯材１３はフェルール１１よりも前側に所定長さ突出している。フェルール１１から前側に突出している芯材１３の突出長さを図２に符号ＰＬで示している。フェルール１１から突出する芯材１３の突出長さは、１００ｍｍ以内であり、好ましくは、５０ｍｍ以内、より好ましくは３０ｍｍ以内である。尚、芯材１３の前端１３ａの位置はブランク１０の補強層１４の前端１４ａの位置よりも後側であり、従って、芯材１３の長さはブランク１０の補強層１４の長さよりも短く、芯材１３は補強層１４の形成範囲内に収まるように挿入されている。
【００２０】
かかる芯材１３は、中実状の繊維強化樹脂製である。その強化繊維は、カーボン繊維やガラス繊維等の各種の繊維であってよいが、特に、ガラス繊維が好ましい。尚、芯材１３の前端面の周縁部には面取り部を形成してブランク１０への挿入を容易にしておくことが好ましい。
【００２１】
以上のように構成されたブランク１０の後端部の外側にフェルール１１が装着固定されている。フェルール１１は、アルミニウムやステンレス等の金属製、あるいは硬質樹脂製である。フェルール１１は、前端開口後端閉口の筒状である。従って、フェルール１１は、前側に開口した竿取付孔１５を有しており、その竿取付孔１５にブランク１０の後端部が挿入されて接着固定されている。フェルール１１は、グリップ体２の後述するリールシートに挿入される挿入部１６と、該挿入部１６をリールシートに挿入したときにそのリールシートから前側に突出する突出部１７とに区分される。フェルール１１の挿入部１６は突出部１７よりも長く、その外径は略一定であってリールシートの内径と略等しい。挿入部１６の後端面、即ち、フェルール１１の後端面には径方向に延びる係合溝１８が形成されている。該係合溝１８は例えばＶ字状とされ、図１のようにグリップ体２の係合ピン２４と係合する。このようにグリップ体２の係合ピン２４にフェルール１１の後端面の係合溝１８が係合することにより、グリップ体２に対する竿本体１の周方向の位置決めがなされて、相対的な軸線回りの回転が防止される。即ち、フェルール１１の係合溝１８とグリップ体２の係合ピン２４は回り止めの機能を発揮する。挿入部１６の前側に位置する突出部１７は、挿入部１６よりも厚肉に形成され、その後端部にはフランジ部１９が環状に形成されている。図１のように竿本体１がグリップ体２に取り付けられた状態において、フランジ部１９はリールシートの前端面に当接する。尚、フランジ部１９とリールシートの前端面との間にパッキンを介在させてもよい。
【００２２】
フェルール１１の突出部１７の外側に締結ナット１２が回転自在に外装されている。該締結ナット１２はフェルール１１のフランジ部１９によってその後側への移動が阻止されており、その後部内周面に形成された雌ネジ部１２ａがリールシートの雄ネジ部２６に螺合することにより、フェルール１１のフランジ部１９を後方に押圧して、竿本体１とグリップ体２とを連結一体化する。
【００２３】
グリップ体２は、竿本体１の後側に着脱自在に連結される。グリップ体２は、パイプシートとも称される筒状のリールシートと、該リールシートの後側に位置するグリップ２０とを備えている。リールシートは、内側にフェルール１１が挿入される筒状のリールシート本体２１と、リールの脚部Ｆを保持する前後一対のフード２２，２３とを備えている。リールシート本体２１は、フェルール１１と同様に、金属あるいは硬質樹脂からなる。尚、上述した係合ピン２４はリールシート本体２１に取り付けられている。また、前後一対のフード２２，２３のうちの一方はリールシート本体２１に対して軸線方向に移動可能であって他方は移動不能であり、本実施形態では前側のフード２２が可動タイプ、後側のフード２３が固定タイプとなっている。その可動タイプである前側のフード２２の位置を固定するために、その前側には固定ナット２５がダブルで設けられており、該固定ナット２５はリールシート本体２１の雄ネジ部２６に螺合している。尚、本実施形態では固定ナット２５を前後一対設けた、いわゆるダブルナットの構成としているが、固定ナット２５が一つのみ設けられた、いわゆるシングルナットの構成であってもよい。グリップ２０は、ＥＶＡやコルクからなり、その前端部がリールシート本体２１の内側に挿入されて接着固定されたり、あるいは、リールシート本体２１の外側に外装され接着固定されたりする。
【００２４】
以上のように構成された釣竿にあっては、ブランク１０の内側に芯材１３が挿入されていて、フェルール１１の前端１１ａの位置の内側に芯材１３が位置しているので、竿本体１がバット部まで大きく曲がったような場合でもフェルール１１の前端１１ａ近傍においてブランク１０が芯材１３によって内側から支えられることになる。従って、フェルール１１の前端１１ａ近傍におけるブランク１０の潰れ折れが確実に防止されることになる。また、ブランク１０の潰れ折れが防止されるので、魚がかかった時にブランク１０が弧を描いて大きく曲がるようにその調子を設定することができ、魚とのやりとりを楽しむことができる。また、大物釣りにおいてはその曲がり特性によって容易に魚の引きに対応することができる。
【００２５】
特に、芯材１３がフェルール１１の前端１１ａよりも前側に突出しているので、フェルール１１の直前の箇所におけるブランク１０の潰れ折れを確実に防止できる。しかも、その突出長さは１００ｍｍ以内という限定的な長さであるので、ブランク１０の本来の調子が損なわれることはなく、バット部まで大きく曲がる調子を維持できる。更に、ブランク１０の大部分は中空状のままであるので、ブランク１０が中実のソリッド体である場合に比して十分に軽量であって、大きく曲がる曲がり特性を確保しつつ、軽量な釣竿特有の操作性の良さも確保できる。
【００２６】
また、芯材１３が中実状の繊維強化樹脂製であるので、ブランク１０を内側から効果的に補強でき、ブランク１０の潰れ折れをより一層確実に防止することができる。しかも、芯材１３の強化繊維がガラス繊維であると、ブランク１０のバット部の曲がりに対する影響が小さくて済む。
【００２７】
一方、芯材１３の後端が竿本体１の後端と略面一であるので、芯材１３を竿本体１の後端から挿入する際に、芯材１３を所定位置まで容易に挿入することができ、組み立て作業性に優れている。また、その結果、芯材１３の位置バラツキが小さくなり、フェルール１１に対して芯材１３を設計どおりの所定位置に確実に位置させることができ、位置バラツキを考慮して芯材１３の長さを過度に長くするという必要もなくなる。
【００２８】
また、ブランク１０のバット部に補強層１４が所定の形成範囲で局所的に形成されていると、ブランク１０の全長に亘って補強層１４を形成する場合に比してブランク１０の重量増加を抑制できると共に、フェルール１１の前端１１ａ近傍におけるブランク１０を効果的に補強することができる。また、補強層１４がバット部の所定範囲のみに形成されているので、ブランク１０の全体の調子に与える影響も最小で済む。そして、その補強層１４の形成範囲に芯材１３が収まるように挿入されているので、補強層１４と芯材１３の相乗効果によって、フェルール１１の前端１１ａ近傍におけるブランク１０の潰れ折れを効果的に抑制することができる。特に、補強層１４を構成する強化繊維が周方向に沿っているので、潰れ折れに対して補強層１４が効果的に作用する。また、補強層１４の形成範囲に芯材１３が収まっているので、芯材１３の前端１３ａ近傍においてもブランク１０が補強層１４によって効果的に補強されることになる。しかも、補強層１４が芯材１３よりも前側に長く延びているので、芯材１３の直ぐ前側におけるブランク１０の部分が補強層１４によって補強され、その部分におけるブランク１０の強度も十分に確保できる。
【００２９】
尚、本実施形態では芯材１３が所定の突出長さでフェルール１１よりも前側に突出していたが、芯材１３がフェルール１１よりも前側に実質上突出していなくてもよく、従って、芯材１３の前端１３ａの位置がフェルール１１の前端１１ａの位置と略一致していてもよい。
【００３０】
また、リールシート本体２１の内周面に樹脂製（例えば繊維強化樹脂製）の筒体を取り付けた構成としてもよく、その筒体を後方に延ばしてその外側にグリップ２０を装着するようにしてもよい。
【符号の説明】
【００３２】
１    竿本体
２    グリップ体
１０    ブランク
１１    フェルール（竿構成部材）
１１ａ  前端
１２    締結ナット
１２ａ  雌ネジ部
１３    芯材
１３ａ  前端
１４    補強層
１４ａ  前端
１５    竿取付孔
１６    挿入部
１７    突出部
１８    係合溝
１９    フランジ部
２０    グリップ
２１    リールシート本体
２２    フード（可動フード）
２３    フード（固定フード）
２４    係合ピン
２５    固定ナット
２６    雄ネジ部
Ｆ    リールの脚部
【図１】
0006345003.tif 000002
【図２】
0006345003.tif 000003